(57)【特許請求の範囲】
【請求項１】
外部端末の存する位置に係る位置情報を所定の通信回線を介して取得する第１取得手段と、
この第１取得手段により取得された前記位置情報が示す位置を基準として所定範囲を設定する設定手段と、
この設定手段により設定された所定範囲内の位置情報が関連付けられている画像を表示用画像として取得する第２取得手段と、
この第２取得手段により前記表示用画像として取得された画像を表示する表示手段と、を備え、
前記位置情報が関連付けられている画像は、当該画像の画像ファイル内に位置情報が格納されていることを特徴とする表示装置。
【請求項２】
前記第２取得手段は、前記設定手段により前記所定範囲が設定された後に前記第１取得手段により取得された前記位置情報が、前記所定範囲外であるか否か判定する第１判定手段を更に有し、
前記設定手段は、前記第１判定手段により前記所定範囲外であると判定された場合に、当該所定範囲外の前記位置情報に基づいて所定範囲を新たに設定することを特徴とする請求項１に記載の表示装置。
【請求項３】
前記第２取得手段は、前記設定手段により新たに設定された所定範囲内の位置情報が関連付けられている画像のうち、当該所定範囲よりも前に設定された所定範囲内の位置情報が関連付けられている画像以外の画像を前記表示用画像として取得することを特徴とする請求項２に記載の表示装置。
【請求項４】
前記第１取得手段は、前記位置情報を一度取得した後に所定時間が経過した場合、前記外部端末に対して所定の操作がなされた場合及び前記外部端末が所定位置から所定距離以上離れた場合のうち、少なくともいずれか一の場合に、当該外部端末から前記位置情報を取得することを特徴とする請求項１〜３の何れか一項に記載の表示装置。
【請求項５】
前記第２取得手段により取得された画像が所定条件に該当するか否かを判定する第２判定手段と、
前記第２判定手段により、所定条件に該当すると判定された画像を前記表示用画像から除外する除外手段と、
を更に備えることを特徴とする請求項１〜４の何れか一項に記載の表示装置。
【請求項６】
ヒトの顔画像を検出する第１検出手段を更に備え、
前記第２判定手段は、前記第１検出手段によりヒトの顔画像が検出された画像が所定条件に該当する画像であると判定することを特徴とする請求項５に記載の表示装置。
【請求項７】
画像と関連付けられた撮像条件情報に基づいて、屋内で撮像された画像を特定する特定手段を更に備え、
前記第２判定手段は、前記特定手段により屋内で撮像された画像であると特定された画像が所定条件に該当する画像であると判定することを特徴とする請求項５又は６に記載の表示装置。
【請求項８】
前記第２取得手段は、外部記憶装置に記憶されている複数の画像の中から前記表示用画像を所定の通信回線を介して取得することを特徴とする請求項１〜７の何れか一項に記載の表示装置。
【請求項９】
前記第２取得手段により前記表示用画像として取得された画像に所定の画像処理を施す画像処理手段を更に備え、
前記表示手段は、前記画像処理手段により前記所定の画像処理が施された画像を表示することを特徴とする請求項１〜８の何れか一項に記載の表示装置。
【請求項１０】
時刻を計時する計時手段を更に備え、
前記表示手段は、前記第２取得手段により前記表示用画像として取得された画像のうち、各画像と関連付けられた時刻情報が、前記計時手段により計時された時刻を含む所定の時間帯と関連付けられている画像を表示することを特徴とする請求項１〜９の何れか一項に記載の表示装置。
【請求項１１】
前記第２取得手段により前記表示用画像として取得された複数の画像の中で、表示態様が互いに類似する画像を検出する第２検出手段を更に備え、
前記表示手段は、前記第２検出手段により検出された表示態様が互いに類似する画像のうち、何れか一つの画像を表示することを特徴とする請求項１〜１０の何れか一項に記載の表示装置。
【請求項１２】
前記第２取得手段により前記表示用画像として取得された複数の画像を切り替えて前記表示手段に表示させる表示制御手段を更に備えることを特徴とする請求項１〜１１の何れか一項に記載の表示装置。
【請求項１３】
所定の画像を記憶する記憶手段を更に備え、
前記表示制御手段は、前記第２取得手段により前記表示用画像として取得された画像及び前記記憶手段に記憶されている画像の中で、画像を切り替えて前記表示手段に表示させることを特徴とする請求項１２に記載の表示装置。
【請求項１４】
外部端末と表示装置とを備える表示システムであって、
前記外部端末は、
当該外部端末の存する位置に係る位置情報を所定の通信回線を介して送信する送信手段を備え、
前記表示装置は、
前記送信手段により送信された前記位置情報を受信する受信手段と、
この受信手段により受信された前記位置情報に基づいて、当該外部端末の存する位置から所定範囲内の位置情報が関連付けられている画像を表示用画像として取得する取得手段と、
この取得手段により前記表示用画像として取得された画像を表示する表示手段と、を備え、
前記位置情報が関連付けられている画像は、当該画像の画像ファイル内に位置情報が格納されていることを特徴とする表示システム。
【請求項１５】
表示装置を用いて、
外部端末の存する位置に係る位置情報を所定の通信回線を介して取得する処理と、
取得された前記位置情報に基づいて、当該外部端末の存する位置から所定範囲内の位置情報が関連付けられている画像を表示用画像として取得する処理と、
前記表示用画像として取得された画像を表示する処理と、
を実行することを特徴とする表示方法であって、
前記位置情報が関連付けられている画像は、当該画像の画像ファイル内に位置情報が格納されていることを特徴とする表示方法。
【請求項１６】
表示装置のコンピュータを、
外部端末の存する位置に係る位置情報を所定の通信回線を介して取得する手段、
取得された前記位置情報に基づいて、当該外部端末の存する位置から所定範囲内の位置情報が関連付けられている画像を表示用画像として取得する手段、
前記表示用画像として取得された画像を表示させる手段、
として機能させ、
前記位置情報が関連付けられている画像は、当該画像の画像ファイル内に位置情報が格納されていることを特徴とするプログラム。
【発明の詳細な説明】
【技術分野】
【０００１】
本発明は、表示装置、表示システム、表示方法及びプログラムに関する。
【背景技術】
【０００２】
従来、携帯電話の位置情報からこの携帯電話の使用者の状況を特定し、この使用者の状況を示す情報を表示装置に表示させる表示制御システムが知られている（例えば、特許文献１参照）。
【先行技術文献】
【特許文献】
【０００３】
【特許文献１】特開２００９−１８１２１０号公報
【発明の概要】
【発明が解決しようとする課題】
【０００４】
しかしながら、従来の表示制御システムは、携帯電話の使用者の状況を示す文字情報とともに当該携帯電話から取得された画像を表示させるようになっているものの、使用者の状況とは何の関係もない画像を単に表示させているに過ぎないため、表示内容が面白みに欠けてしまうといった問題がある。
【０００５】
本発明の課題は、画像表示を外部端末の位置情報に基づいてより面白みのあるものとすることができる表示装置、表示システム、表示方法及びプログラムを提供することである。
【課題を解決するための手段】
【０００６】
上記課題を解決するため、本発明の表示装置は、外部端末の存する位置に係る位置情報を所定の通信回線を介して取得する第１取得手段と、この第１取得手段により取得された前記位置情報が示す位置を基準として所定範囲を設定する設定手段と、この設定手段により設定された所定範囲内の位置情報が関連付けられている画像を表示用画像として取得する第２取得手段と、この第２取得手段により前記表示用画像として取得された画像を表示する表示手段と、を備え、前記位置情報が関連付けられている画像は、当該画像の画像ファイル内に位置情報が格納されていることを特徴とする。
【０００７】
また、本発明の表示システムは、外部端末と表示装置とを備える表示システムであって、前記外部端末は、当該外部端末の存する位置に係る位置情報を所定の通信回線を介して送信する送信手段を備え、前記表示装置は、前記送信手段により送信された前記位置情報を受信する受信手段と、この受信手段により受信された前記位置情報に基づいて、当該外部端末の存する位置から所定範囲内の位置情報が関連付けられている画像を表示用画像として取得する取得手段と、この取得手段により前記表示用画像として取得された画像を表示する表示手段と、を備え、前記位置情報が関連付けられている画像は、当該画像の画像ファイル内に位置情報が格納されていることを特徴とする。
【０００８】
また、本発明の表示方法は、表示装置を用いて、外部端末の存する位置に係る位置情報を所定の通信回線を介して取得する処理と、取得された前記位置情報に基づいて、当該外部端末の存する位置から所定範囲内の位置情報が関連付けられている画像を表示用画像として取得する処理と、前記表示用画像として取得された画像を表示する処理と、を実行することを特徴とする表示方法であって、前記位置情報が関連付けられている画像は、当該画像の画像ファイル内に位置情報が格納されていることを特徴とする。
【０００９】
また、本発明のプログラムは、表示装置のコンピュータを、外部端末の存する位置に係る位置情報を所定の通信回線を介して取得する手段、取得された前記位置情報に基づいて、当該外部端末の存する位置から所定範囲内の位置情報が関連付けられている画像を表示用画像として取得する手段、前記表示用画像として取得された画像を表示させる手段、として機能させ、前記位置情報が関連付けられている画像は、当該画像の画像ファイル内に位置情報が格納されていることを特徴とする。
【発明の効果】
【００１０】
本発明によれば、画像表示を外部端末の位置情報に基づいてより面白みのあるものとすることができる。
【図面の簡単な説明】
【００１１】
【図１】本発明を適用した一実施形態である表示システムの概略構成を示す図である。
【図２】外部端末の主要構成を示す図である。
【図３】表示装置の主要構成を示す図である。
【図４】表示制御処理に係る動作の一例を示すフローチャートである。
【図５】画像表示処理に係る動作の一例を示すフローチャートである。
【図６】図５の画像表示処理の続きを示すフローチャートである。
【図７】地図上に外部端末の位置と画像の位置との関係の一例を仮想的に示す図である。
【図８】範囲設定部により設定される所定範囲と、画像の関連する位置との関係の一例を仮想的に示す図である。
【発明を実施するための形態】
【００１２】
以下に、本発明について、図面を用いて具体的な態様を説明する。ただし、発明の範囲は、図示例に限定されない。
【００１３】
図１は、本発明を適用した一実施形態である表示システム１０の概略構成を示す図である。
図１に示すように、表示システム１０は、外部端末１と表示装置２とを備える。外部端末１は、基地局Ｂを介して通信ネットワークＮに通信可能に接続されている。また、表示装置２は、通信ネットワークＮに通信可能に接続されている。また、通信ネットワークＮには、複数の画像を記憶する外部記憶装置３が接続されており、表示装置２は、通信ネットワークＮを介して外部記憶装置３から画像を取得することができる。
【００１４】
先ず、外部端末１について図２を参照して詳細に説明する。
図２は、外部端末１の主要構成を示す図である。
外部端末１は、例えば、携帯電話やＰＨＳ（Personal Handy-phone System）などの移動体通信網で用いられる移動局、ＰＤＡ（Personal Data Assistants）等から構成され、具体的には、図２に示すように、中央制御部１０１と、音声通話部１０２と、表示部１０３と、操作入力部１０４と、記憶制御部１０５と、位置特定部１０６と、位置判定部１０７と、通信制御部１０８とを備えている。
【００１５】
中央制御部１０１は、外部端末１の各部を制御するものである。具体的には、中央制御部１０１は、図示は省略するが、ＣＰＵ（Central Processing Unit）、ＲＡＭ（Random Access Memory）、ＲＯＭ（Read Only Memory）を備え、外部端末１用の各種処理プログラム（図示略）や操作入力部１０４により入力された操作信号等に従って各種の制御動作を行う。
【００１６】
音声通話部１０２は、音声の入出力を行うスピーカ及びマイク（図示略）や、スピーカ及びマイクを介して入出力される音声信号とデジタルデータとの相互変換を行う変換部（図示略）等を備え、通信制御部１０８との協働により音声通話機能を構成している。
【００１７】
表示部１０３は、表示制御部１０３ａと、表示パネル１０３ｂとを備えている。
表示制御部１０３ａは、画像を表示パネル１０３ｂに表示させる制御を行う。具体的には、表示制御部１０３ａは、表示パネル１０３ｂに所定の画面データ（例えば、送受話や電子メールの送受信等に係る画面データ）を出力し、当該画面データに基づいて所定の画面を表示パネル１０３ｂの表示画面に表示させる。
表示パネル１０３ｂとしては、例えば、液晶表示パネルや有機ＥＬ表示パネルなどが挙げられるが、これらに限られるものではない。
【００１８】
操作入力部１０４は、例えば、表示部１０３により表示されたデータや項目等の選択、送り操作等を行うための上下左右移動キーや各種機能キー、数値や文字を入力するためのテンキー等によって構成される操作部を備え、これらの操作部の操作に応じて所定の操作信号を中央制御部１０１に対して出力する。
具体的には、操作入力部１０４は、例えば、使用者による操作部の操作に応じて、通信制御部１０８により外部端末１の位置情報を送信する条件の設定（送信条件設定）や、距離判定の基準位置（所定位置）の設定等に関する指示信号を中央制御部１０１に対して出力する。中央制御部１０１のＣＰＵは、操作入力部１０４から出力されて入力された指示信号に基づいて、外部端末１の位置情報を送信する条件や距離判定の基準位置を設定する。即ち、中央制御部１０１は、例えば、外部端末１の位置情報を一度送信した後に所定時間が経過した場合、外部端末１に対して所定の操作がなされた場合及び外部端末１が所定位置から所定距離以上離れた場合のうち、少なくともいずれか一の場合を、外部端末１の位置情報を送信する条件（送信条件設定）として設定する。
【００１９】
記憶制御部１０５は、記憶部１０５ａからのデータの読み出しや記憶部１０５ａに対するデータの書き込みを制御する。
即ち、記憶制御部１０５は、例えば、操作入力部１０４を介して入力された外部端末１の位置情報を送信する条件の設定情報や、所定位置の情報等を記憶部１０５ａに記憶させる。
なお、記憶部１０５ａは、例えば、不揮発性メモリ（フラッシュメモリ）等により構成されるが、一例であってこれに限られるものではなく、適宜任意に変更することができる。
【００２０】
位置特定部１０６は、外部端末１の存する位置を特定する。
具体的には、位置特定部１０６は、例えば、複数のＧＰＳ（Global Positioning System）衛星（なお、図１には、一つのＧＰＳ衛星のみを図示）からの電波を受信するＧＰＳアンテナ１０６ａや、当該アンテナ１０６ａにより受信された電波を復調し、復調された複数のＧＰＳ衛星からの信号に基づいて当該外部端末１本体の絶対的な２次元の現在位置（緯度、経度）を測位して当該位置に係る位置情報（例えば、緯度、経度の座標情報）を出力するＧＰＳ受信処理部（図示略）等を有する。位置特定部１０６は、例えば、所定時間周期で外部端末１の位置を特定し、外部端末１の位置情報を出力する。
また、位置特定部１０６は、外部端末１の存する位置を所定の時間間隔毎に特定しても良い。
なお、位置特定部１０６は、ＧＰＳ信号に基づいて外部端末１の存する位置を特定するが、位置の特定方法の一例であり、これに限られるものではない。例えば、予め基地局Ｂや無線ＬＡＮのアクセスポイント（Access Point）の位置を登録しておき、所定の位置で検出された所定数の基地局やアクセスポイントとの間の通信電波の強度等に基づいて基地局やアクセスポイントまでの距離を演算し、当該外部端末１の存する位置を特定してもよい。なお、図１では、一つの基地局Ｂが図示されているが、通信ネットワークＮには、複数の基地局Ｂが接続されていても良い。
【００２１】
位置判定部１０７は、位置特定部１０６から出力された外部端末１の位置情報に基づいて、外部端末１が所定位置から所定距離以上離れたか否かの判定を行う。
具体的には、例えば、位置判定部１０７は、記憶部１０５ａに記憶された所定位置と、位置特定部１０６から出力された外部端末１の位置情報とに基づいて、所定位置と外部端末１の位置との間の距離を算出し、算出された距離が所定距離以上であるか否か判定する。そして、算出された距離が所定距離以上であると判定されると、位置判定部１０７は、通信制御部１０８に外部端末１の位置情報の表示装置２に対する送信を指示する所定の指示信号を出力する。
【００２２】
なお、所定位置は、例えば、緯度及び経度により設定されるものであってもよいし、所定の入力（例えば、表示部１０３に表示された地図データを用いた所定箇所の指定入力や、施設の名称、電話番号の入力等）により特定される施設と対応付けられた位置情報に基づいて設定されるものであってもよい。
【００２３】
通信制御部１０８は、外部端末１と基地局Ｂとの間における通信制御を行う。
具体的には、通信制御部１０８は、例えば、所定の通信規格に基づき、アンテナを介して基地局Ｂとの間で無線信号の送受信を行う送受信部（図示略）や、音声通話部１０２との間で入出力される音声のデジタルデータや種々の送受信データの変調及び復調処理を行う変調／復調部（図示略）等を有する。
なお、外部端末１は、通信制御部１０８が基地局Ｂとの通信を行うことにより通信ネットワークＮに接続されるが、接続方法の一例であり、これに限られるものではない。例えば、通信制御部１０８は、さらに、無線ＬＡＮ（Local Area Network）等の所定の通信規格により通信ネットワークＮに接続するための通信アンテナや通信回路（図示略）等を備えてもよい。
【００２４】
なお、通信ネットワークＮは、例えば、専用線や既存の一般公衆回線を利用して構築されたインターネットであるが、インターネットに限らず、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００２５】
また、通信制御部１０８は、位置特定部１０６から出力された外部端末１の位置情報を表示装置２に送信する。
即ち、通信制御部１０８は、例えば、外部端末１に対して所定の操作がなされた場合に、外部端末１の位置情報を表示装置２に送信する。具体的には、例えば、使用者により外部端末１を用いた音声通話やデータ通信（例えば、電子メールの送受信等）や位置情報の送信指示のための操作が行われると、通信制御部１０８は、外部端末１の位置情報を表示装置２に送信する。
また、通信制御部１０８は、例えば、外部端末１の位置情報を一度送信した後に所定時間が経過した場合に、外部端末１の位置情報を表示装置２に送信する。具体的には、例えば、通信制御部１０８は、所定時間周期で外部端末１の位置情報を表示装置２に送信する。
また、通信制御部１０８は、例えば、外部端末１が距離判定の基準位置（所定位置）から所定距離以上離れた場合に、外部端末１の位置情報を表示装置２に送信する。具体的には、位置判定部１０７により所定位置（例えば、表示装置２の設置位置等）と外部端末１の位置との間の距離が所定距離以上であると判定された場合に、当該位置判定部１０７から出力された外部端末１の位置情報の表示装置２に対する送信を指示する所定の指示信号が通信制御部１０８に入力されると、通信制御部１０８は、外部端末１の位置情報を表示装置２に送信する。
【００２６】
なお、通信制御部１０８は、必ずしも外部端末１の位置情報を一度送信した後に所定時間が経過した場合、外部端末１に対して所定の操作がなされた場合及び外部端末１が所定位置から所定距離以上離れた場合に外部端末１の位置情報を送信する必要はなく、例えば、外部端末１の位置情報を一度送信した後に所定時間が経過した場合、外部端末１に対して所定の操作がなされた場合及び外部端末１が所定位置から所定距離以上離れた場合のうち、少なくともいずれか一の場合に、外部端末１の位置情報を送信しても良い。
【００２７】
次に、表示装置２について図３を参照して詳細に説明する。
図３は、表示装置２の主要構成を示す図である。
表示装置２は、例えば、卓上に設置されるデジタルフォトフレーム等であり、具体的には、図３に示すように、通信制御部２０１と、メモリ２０２と、画像取得部２０３と、記憶媒体制御部２０４と、条件判定部２０５と、計時部２０６と、類似画像検出部２０７と、画像処理部２０８と、表示部２０９と、操作入力部２１０と、中央制御部２１１とを備えている。
【００２８】
通信制御部２０１は、例えば、通信アンテナや通信回路（図示略）等を備え、無線ＬＡＮ等の所定の通信規格により、通信ネットワークＮを介して外部端末１及び外部記憶装置３との間で情報の通信制御を行う。
具体的には、通信制御部２０１は、外部端末１から基地局Ｂ及び通信ネットワークＮを介して送信された外部端末１の位置情報を受信する。
【００２９】
メモリ２０２は、例えば、ＤＲＡＭ等により構成され、表示装置２の各部によって処理されるデータ等を一時記憶する。
【００３０】
画像取得部２０３は、通信制御部２０１により受信された外部端末１の位置情報に基づいて、当該外部端末１の存する位置に関連する画像を表示用画像として取得する。
具体的には、画像取得部２０３は、範囲設定部２０３ａを有し、この範囲設定部２０３ａにより設定された所定範囲内の位置と関連付けられた画像を表示用画像として取得する。
【００３１】
範囲設定部２０３ａは、通信制御部２０１により取得された外部端末１の位置情報が示す位置を基準として所定範囲を設定する。
具体的には、範囲設定部２０３ａは、例えば、通信制御部２０１により外部端末１の位置情報が受信されると、当該位置情報が示す位置（例えば、図７に示す位置Ｐ１）を中心とした所定の半径（例えば、１［ｋｍ］）を有する円領域を所定範囲（例えば、図８（ａ）に示す所定範囲Ｃ１）として設定する。
【００３２】
そして、画像取得部２０３は、範囲設定部２０３ａにより設定された所定範囲内の位置と関連付けられた画像を表示用画像として取得する。具体的には、画像取得部２０３は、通信制御部２０１により接続された外部記憶装置３に記憶されている複数の画像の中から表示用画像を取得する。例えば、画像取得部２０３は、所定範囲（例えば、所定範囲Ｃ１）が設定されると、外部記憶装置３に記憶された複数の画像のうち、所定範囲内の撮像位置と関連付けられた画像（例えば、図８（ａ）に示す撮像位置Ｑ１〜Ｑ５の画像）を特定し、特定された画像を表示用画像として取得する。
より具体的には、画像取得部２０３は、例えば、通信制御部２０１及び通信ネットワークＮを介して利用可能に設けられた所定の画像検索エンジンに対して、外部端末１の位置情報及び当該位置情報に基づいて設定される所定範囲に関する情報（例えば、外部端末１の位置情報を中心とする所定範囲の半径等）を検索条件として出力する。
画像検索エンジンとは、例えば、入力された条件（検索条件）に応じた画像に関する情報を提供する機能を有する装置又はプログラムである。また、外部記憶装置３に記憶される画像の各々は、例えば、Ｅｘｉｆ（Exchangeable image file format）タグ情報により、位置（例えば、撮像位置の緯度及び経度を示す情報）と関連付けられている。そして、画像検索エンジンは、外部記憶装置３に記憶された複数の画像の各々のＥｘｉｆタグ情報を読み出して、所定範囲内の位置と関連付けられた画像を特定する。
画像取得部２０３は、当該画像検索エンジンにより出力された検索結果が示す画像を表示用画像として取得する。
【００３３】
画像取得部２０３による表示用画像の取得の一例を、図７、図８（ａ）を参照して詳細に説明する。
図７に示す例では、外部記憶装置３に記憶されている複数の画像の各々が撮像された撮像位置Ｑ１〜Ｑ１０と、外部端末１の位置情報に対応する位置Ｐ１とを地図Ｍ上に仮想的に示している。
例えば、通信制御部２０１により、位置Ｐ１に対応する外部端末１の位置情報が取得されると、範囲設定部２０３ａは、位置Ｐ１を中心とした所定の半径（例えば、１［ｋｍ］）を有する円領域を所定範囲Ｃ１として設定する（図８（ａ）参照）。
図８（ａ）に示すように、所定範囲Ｃ１の内側には、地図Ｍ上の撮像位置Ｑ１〜Ｑ１０のうち、撮像位置Ｑ１〜Ｑ５が含まれている。この場合、画像取得部２０３は、表示用画像、即ち、外部端末１の存する位置に関連する画像として、所定範囲Ｃ１の内側に含まれている撮像位置Ｑ１〜Ｑ５と関連付けられた画像のみを取得する。
【００３４】
なお、外部記憶装置３は、例えば、位置（例えば、各々の画像の撮像位置等）と関連付けられた複数の画像を記憶する画像データベースであるが、画像データベースに限らず、位置と関連付けられた画像を含む各種のデータを記憶する外部記憶装置やサーバ等であってもよい。また、図１では、一つの外部記憶装置３が図示されているが、複数の外部記憶装置３が通信ネットワークＮに接続されていてもよい。
また、外部記憶装置３に記憶される画像の各々は、例えば、Ｅｘｉｆタグ情報により、後述する撮像条件情報（例えば、ホワイトバランスの設定値等）や、時刻を示す情報（例えば、撮像日時等）と関連付けられていても良い。
【００３５】
また、画像取得部２０３は、範囲判定部２０３ｂを有している。
範囲判定部２０３ｂは、範囲設定部２０３ａにより所定範囲が設定された後に通信制御部２０１により取得された外部端末１の位置情報が、所定範囲外であるか否か判定する。
具体的には、範囲判定部２０３ｂは、範囲設定部２０３ａにより所定範囲（例えば、所定範囲Ｃ１）が一度設定された後に通信制御部２０１により新たな外部端末１の位置情報（例えば、図８（ｂ）に示す位置Ｐ２）が取得されると、取得された新たな外部端末１の位置情報が所定範囲外であるか否か判定する。そして、範囲判定部２０３ｂは、新たな外部端末１の位置情報が所定範囲外であると判定した場合に、その旨を示す所定の情報を範囲設定部２０３ａに出力する。範囲設定部２０３ａは、範囲判定部２０３ｂから所定の情報が出力されると、新たな外部端末１の位置情報に基づいた所定範囲（例えば、図８（ｂ）に示す所定範囲Ｃ２）を新たに設定する。
【００３６】
そして、画像取得部２０３は、新たな所定範囲（例えば、所定範囲Ｃ２）が設定されると、外部記憶装置３に記憶された複数の画像のうち、所定範囲内の撮像位置と関連付けられた画像（例えば、図８（ｂ）に示す撮像位置Ｑ２、Ｑ６〜Ｑ８の画像）を特定し、特定された画像を表示用画像として取得する。
このとき、画像取得部２０３は、範囲設定部２０３ａにより新たに設定された所定範囲（例えば、所定範囲Ｃ２）内の位置と関連付けられた画像のうち、当該所定範囲よりも前に設定された所定範囲（例えば、所定範囲Ｃ１）内の位置と関連付けられた画像以外の画像を表示用画像として取得しても良い。
具体的には、画像取得部２０３は、新たな所定範囲内の位置と関連付けられた画像（例えば、撮像位置Ｑ２、Ｑ６〜Ｑ８の画像）のうち、新たな所定範囲が設定される前に表示用画像として取得され、記憶媒体Ｒに記憶されている画像と同一の画像（例えば、撮像位置Ｑ２の画像）を取得せず、当該同一の画像以外の画像（例えば、撮像位置Ｑ６〜Ｑ８の画像）を表示用画像として取得する。
また、画像取得部２０３は、新たな所定範囲内の位置と関連付けられた画像を表示用画像として取得した後、新たな所定範囲の設定前に記憶媒体Ｒに記憶された画像を削除しても良い。
【００３７】
例えば、図８（ｂ）に示す例の場合、新たな外部端末１の位置情報に対応する位置Ｐ２は、新たな位置情報が取得される前に設定された所定範囲Ｃ１の範囲外に位置する。この場合、範囲判定部２０３ｂは、新たな外部端末１の位置情報が所定範囲Ｃ１の範囲外であると判定し、所定の情報を範囲設定部２０３ａに出力する。範囲設定部２０３ａは、範囲判定部２０３ｂから出力された所定の信号に応じ、新たな位置情報の位置Ｐ２に基づく新たな所定範囲Ｃ２を設定する。
図８（ｂ）に示すように、所定範囲Ｃ２の内側には、地図Ｍ上の撮像位置Ｑ１〜Ｑ１０のうち、撮像位置Ｑ２、Ｑ６〜Ｑ８が含まれている。ここで、撮像位置Ｑ２は、所定範囲Ｃ２の内側に位置すると共に、所定範囲Ｃ２が新たに設定される前に設定されていた所定範囲Ｃ１の内側にも位置する。即ち、撮像位置Ｑ２の画像は、新たに設定された所定範囲Ｃ２内の位置と関連付けられた画像であるとともに、当該所定範囲Ｃ２よりも前に設定された所定範囲Ｃ１内の位置と関連付けられた画像であり、既に画像取得部２０３により表示用画像として取得され、記憶媒体Ｒに記憶されている。この場合、画像取得部２０３は、新たに設定された所定範囲Ｃ２の内側に含まれている撮像位置Ｑ２、Ｑ６〜Ｑ８の画像のうちで、撮像位置Ｑ２の画像を再度取得せずに、撮像位置Ｑ２以外の撮像位置Ｑ６〜Ｑ８の画像を表示用画像として取得する。
【００３８】
記憶媒体制御部２０４は、記憶媒体Ｒが着脱自在に構成され、装着された記憶媒体Ｒからのデータの読み出しや記憶媒体Ｒに対するデータの書き込みを制御する。
即ち、記憶媒体制御部２０４は、例えば、画像取得部２０３により取得された表示用画像等を記憶媒体Ｒに記憶させる。
また、記憶媒体Ｒは、画像取得部２０３により取得される表示用画像とは別に、所定の画像を記憶する。所定の画像は、外部端末１の位置情報と無関係の一又は複数の画像である。
なお、記憶媒体Ｒは、例えば、不揮発性メモリ（フラッシュメモリ）等により構成されるが、一例であってこれに限られるものではなく、適宜任意に変更することができる。
【００３９】
条件判定部２０５は、表示用画像として取得された画像が所定条件に該当するか否かを判定するとともに、所定条件に該当すると判定された画像を表示用画像から除外する。
具体的には、条件判定部２０５は、顔画像検出部２０５ａと、撮像条件特定部２０５ｂとを有している。
【００４０】
顔画像検出部２０５ａは、ヒトの顔画像を検出する。
具体的には、顔画像検出部２０５ａは、画像取得部２０３により表示用画像として取得された画像の各々に対してヒトの顔画像を検出する顔検出処理を行う。
なお、顔検出処理は、公知の技術であるので、ここでは詳細な説明を省略する。
【００４１】
撮像条件特定部２０５ｂは、画像と関連付けられた撮像条件情報に基づいて、屋内で撮像された画像を特定する。
具体的には、撮像条件特定部２０５ｂは、例えば、画像取得部２０３により表示用画像として取得された各画像のＥｘｉｆタグ情報に基づいて、屋内で撮像されたことを示すホワイトバランスの設定値と関連付けられた画像を特定する。撮像条件特定部２０５ｂは、例えば、「電球」や「蛍光灯」を示すホワイトバランスの設定値と関連付けられた画像を、電球の照明下や蛍光灯の照明下で撮像された画像、即ち、屋内で撮像された画像として特定する。
【００４２】
そして、条件判定部２０５は、画像取得部２０３により表示用画像として取得された画像が所定条件に該当するか否かを判定する。
即ち、条件判定部２０５は、顔画像検出部２０５ａによりヒトの顔画像が検出された画像や、撮像条件特定部２０５ｂにより屋内で撮像された画像として特定された画像が所定条件に該当する画像であると判定する。
なお、所定条件として上記に例示したものは一例であり、後述するように外部端末１の使用者の位置の判別に寄与しない画像を除外するための条件であれば如何なる条件であっても良い。
【００４３】
また、条件判定部２０５は、所定条件に該当すると判定された画像を表示用画像から除外する。
即ち、条件判定部２０５は、例えば、画像取得部２０３により取得された後、記録媒体に記録された画像のうち、所定条件に該当すると判定された画像、即ち、顔画像検出部２０５ａによりヒトの顔画像が検出された画像や撮像条件特定部２０５ｂにより屋内で撮像された画像として特定された画像を、表示用画像から除外する。そして、条件判定部２０５は、表示用画像から除外された画像を記憶媒体Ｒから削除する。
なお、条件判定部２０５による画像の除外方法は、これに限られるものではなく、例えば、記録媒体に除外対象となる画像を記憶しておくものの、当該画像に対して表示用画像から除外されたことを示す所定のフラグ値を付加する処理を行ってもよいし、除外された表示用画像を示すデータを生成して除外された表示用画像と関連付ける処理を行ってもよい。
【００４４】
計時部２０６は、例えば、現在時刻を計時する回路等を有し、計時された現在の時刻に係る時刻情報を出力する。
【００４５】
類似画像検出部２０７は、画像取得部２０３により表示用画像として取得された複数の画像の中で、表示態様が互いに類似する画像（類似画像）を検出する。
具体的には、類似画像検出部２０７は、例えば、記憶媒体Ｒに表示用画像として記憶された複数の画像のうち一の画像と、当該一の画像以外の画像との類似度をアダブースト（adaboost）出力計算を用いて算出し、算出された類似度が所定の閾値以上である画像を、表示態様が当該一の画像と互いに類似する画像として検出する類似画像検出処理を行う。
また、類似画像検出部２０７は、類似画像どうしを関連付けておき、これにより、類似画像と当該類似画像に類似しない画像とを識別可能とする。具体的には、類似画像検出部２０７は、例えば、複数の類似画像の各々に同一の識別情報をＥｘｉｆタグ情報として画像に付加しておき、識別情報が一致するものどうしを類似画像とする。
【００４６】
なお、類似画像を検出する方法として、アダブースト出力計算を例示したが、一例であり、これに限られるものではない。例えば、複数の画像をそれぞれ複数の領域に分割して各領域の色の平均値を相互に比較し、各領域の平均値の誤差のうち所定数以上が所定の誤差閾値以下である画像の組み合わせを表示態様が互いに類似する画像の組み合わせとして検出する方法を用いてもよいし、上述のアダブースト出力計算を含め、表示態様が画像と互いに類似する画像の検出方法を複数設け、各方法を組み合わせて総合的に複数の画像の表示態様の類似度を判定するようにしてもよい。
【００４７】
画像処理部２０８は、表示用画像として取得された画像に所定の画像処理を施す。
具体的には、画像処理部２０８は、例えば、予め設定された画像処理設定（後述）により画像処理の実施が指示されている場合に、当該画像処理設定により予め設定された絵画調処理の内容に従って、表示部２０９により表示される表示用画像を絵画調の画像に加工する絵画調処理を施す。
画像処理部２０８は、例えば、表示用画像に対して、水彩絵の具で書いたような視覚的効果を有する画像に加工する「水彩画風」の絵画調処理や、油彩絵の具で書いたような視覚的効果を有する画像に加工する「油彩画風」の絵画調処理、大まかに写しとったような視覚的効果を有する画像に加工する「スケッチ風」の絵画調処理等、処理内容を異ならせて複数規定された絵画調処理のいずれかを施す。
ここで、画像を各種絵画調の画像に加工する技術は、例えば、既存の画像処理関連のソフトウェアを用いた処理と略同様の処理によって実現され、ＨＳＶ色空間における色相、彩度、明度などを変更したり各種のフィルタを用いることで行われるが、公知の技術であるので、詳細な説明を省略する。
【００４８】
また、画像処理としては、表示用画像を絵画調の画像に加工する絵画調処理に限られるものではなく、例えば、輪郭強調処理、階調補正処理など適宜任意に変更することができる。また、画像処理部２０８は、表示用画像以外の画像（例えば、記憶媒体Ｒに記憶された所定の画像）に画像処理を施してもよい。
【００４９】
表示部２０９は、表示制御部２０９ａと、表示パネル２０９ｂとを備えている。
表示制御部２０９ａは、表示パネル２０９ｂに対して記憶媒体Ｒから読み出された表示用画像の画像データを出力し、当該画像データに基づいて表示用画像を表示パネル２０９ｂの表示画面に表示させる。
表示パネル２０９ｂとしては、例えば、液晶表示パネルや有機ＥＬ表示パネルなどが挙げられるが、これらに限られるものではない。
【００５０】
また、表示制御部２０９ａは、表示用画像として取得された画像のうち、各画像と関連付けられた時刻情報が、計時部２０６により計時された時刻を含む所定の時間帯と関連付けられている画像を表示パネル２０９ｂに表示させても良い。
具体的には、表示制御部２０９ａは、計時部２０６から出力され入力された時刻情報に基づいて、予め設定されている複数の時間帯（例えば、日中や夜間等）の中で、現在の時刻を含む時間帯を特定する。そして、時間帯の特定後、表示制御部２０９ａは、例えば、記憶媒体Ｒに記憶された表示用画像のＥｘｉｆタグ情報を読み出し、特定された時間帯に含まれる時刻（例えば、撮像時刻等）と関連付けられている画像を表示パネル２０９ｂに表示させる。
【００５１】
また、表示制御部２０９ａは、類似画像検出部２０７により検出された表示態様が互いに類似する画像のうち、何れか一つの画像を表示パネル２０９ｂに表示させても良い。
具体的には、表示制御部２０９ａは、例えば、同一の識別情報が付加された複数の類似画像が記憶媒体Ｒに記憶されている場合、これら同一の識別情報が付加された複数の類似画像のうち何れか一つの画像を選択し、選択された画像を表示パネル２０９ｂに表示させる。ここで、表示制御部２０９ａは、所定の選択基準に基づいて同一の識別情報が付加された複数の画像のうち何れか一つの画像を選択してもよいし、ランダムで何れか一つの画像を選択してもよい。
【００５２】
また、表示制御部２０９ａは、表示用画像として取得された複数の画像を切り替えて表示パネル２０９ｂに表示させる。
具体的には、表示制御部２０９ａは、例えば、一の画像の表示後に、所定の表示切替時間が経過するたびに、記憶媒体Ｒに記憶された表示用画像の中から、表示パネル２０９ｂに表示させていた一の画像とは異なる画像を読み出して表示パネル２０９ｂに表示させる。このとき、表示制御部２０９ａは、記憶媒体Ｒに記憶された表示用画像の中で、特定された現在の時刻を含む時間帯と関連付けられた画像を順次表示させるようにしてもよい。さらに、表示制御部２０９ａは、時間帯と関連付けられた画像に類似画像が含まれる場合、類似画像のうち何れか一の画像を選択して表示させるようにしてもよい。また、表示制御部２０９ａは、記憶媒体Ｒに記憶された表示用画像のうち、表示パネル２０９ｂに表示された回数がより少ない画像を優先的に表示させるようにしてもよい。
なお、表示制御部２０９ａは、外部端末１の位置情報が示す位置により近い位置と関連付けられた表示用画像の優先度を高くして表示させても良い。即ち、表示制御部２０９ａは、例えば、記憶媒体Ｒに記憶された表示用画像の各々のＥｘｉｆタグ情報を読み出し、通信制御部２０１により受信された外部端末１の位置情報により近い位置と関連付けられた画像を特定して、特定された画像を優先的に表示パネル２０９ｂに表示させる順位付けを行う。また、表示制御部２０９ａは、表示用画像を順次、表示パネル２０９ｂに表示させるにあたり、順位付けに基づいて外部端末１の位置情報により近い順に表示用画像を表示させるようにしてもよい。
【００５３】
操作入力部２１０は、例えば、データの選択、送り操作等を行うための上下左右移動キーや各種機能キー等によって構成される操作部を備え、これらの操作部の操作に応じて所定の操作信号を中央制御部２１１に対して出力する。
例えば、操作入力部２１０は、使用者による操作部の操作に応じて、複数の時間帯の設定や、画像処理部２０８による画像処理の実施の指示に関する設定（画像処理設定）等に関する操作に応じた操作信号を中央制御部２１１に対して出力する。
具体的には、操作入力部２１０は、例えば、使用者による操作部の操作に応じて、計時部２０６により計時される時刻と複数の時間帯（例えば、日中や夜間等）との対応関係の設定に関する指示信号を中央制御部２１１に対して出力する。中央制御部２１１のＣＰＵは、例えば、操作入力部２１０から出力されて入力された指示信号に基づいて、複数の時間帯を設定する。
また、操作入力部２１０は、例えば、使用者による操作部の操作に応じて、画像処理部２０８により画像処理を実施するか否か、画像処理を行う場合にどの種類の画像処理を画像に施すかの設定等に関する指示信号を中央制御部２１１に対して出力する。中央制御部２１１のＣＰＵは、例えば、操作入力部２１０から出力されて入力された指示信号に基づいて、画像処理を実施するか否かや画像に施される画像処理の種類等の条件を、画像処理設定として設定する。
【００５４】
中央制御部２１１は、表示装置２の各部を制御するものである。具体的には、中央制御部２１１は、図示は省略するが、ＣＰＵ（Central Processing Unit）、ＲＡＭ（Random Access Memory）、ＲＯＭ（Read Only Memory）を備え、表示装置２用の各種処理プログラム（図示略）や操作入力部２１０により入力された操作信号等に従って各種の制御動作を行う。
【００５５】
次に、表示システム１０による表示制御処理の流れを、図４〜図６のフローチャートを参照して説明する。
図４は、表示制御処理に係る動作の一例を示すフローチャートである。
【００５６】
まず、外部端末１では、位置特定部１０６が当該外部端末１本体の位置を特定する（ステップＳ１）。
即ち、位置特定部１０６は、例えば、所定のタイミングでＧＰＳアンテナ１０６ａにより受信された複数のＧＰＳ衛星からの信号に基づいて当該外部端末１本体の絶対的な２次元の現在位置（緯度、経度）を測位して、当該位置に係る位置情報（例えば、緯度、経度の座標情報）を出力する。
【００５７】
次に、通信制御部１０８は、予め設定された送信条件設定に応じた位置情報の送信条件が生じることにより、位置情報の送信が指示されたか否か判定する（ステップＳ２）。即ち、通信制御部１０８は、例えば、外部端末１の位置情報を一度送信した後に所定時間が経過しているか否かや、使用者により外部端末１に対して所定の操作がなされたか否かや、外部端末１が所定位置から所定距離以上離れたか否か等に応じて、位置情報の送信条件が生じて位置情報の送信が指示されたか否かを判定する。
ここで、位置情報の送信が指示されていないと判定された場合（ステップＳ２；ＮＯ）、外部端末１は、処理をステップＳ１に移行して、所定時間周期で位置特定部１０６による位置情報の特定が行われる状態で待機する。
【００５８】
一方、ステップＳ２にて、位置情報の送信が指示されたと判定されると（ステップＳ２；ＹＥＳ）、外部端末１の通信制御部１０８が、外部端末１の位置情報を表示装置２に送信する（ステップＳ３）。
具体的には、例えば、外部端末１の位置情報を一度送信した後に所定時間が経過した場合や、使用者により外部端末１に対して所定の操作がなされた場合や、外部端末１が距離判定の基準位置（所定位置）から所定距離以上離れた場合などに位置情報の送信が指示されたと判定されて（ステップＳ２；ＹＥＳ）、通信制御部１０８は、外部端末１の位置情報を表示装置２に送信する。
【００５９】
表示装置２では、通信制御部２０１は、外部端末１から送信されて基地局Ｂ及び通信ネットワークＮを介して伝送された位置情報を受信する（ステップＳ４）。
次に、表示装置２は、画像表示処理（図５及び図６参照）を行う（ステップＳ５）。なお、画像表示処理を行うまでの間、表示装置２では、表示部２０９が、記憶媒体Ｒに記憶された所定の画像を表示してもよい。
【００６０】
ここで、表示装置２による画像表示処理について、図５及び図６のフローチャートを参照して説明する。
図５及び図６は、画像表示処理に係る動作の一例を示すフローチャートである。
【００６１】
画像表示処理では、まず、画像取得部２０３が、範囲設定部２０３ａによる所定範囲の設定が既に行われているか否かを判定する（ステップＳ１１）。ここで、所定範囲の設定が未だ行われていないと判定された場合（ステップＳ１１；ＮＯ）、範囲設定部２０３ａが、通信制御部２０１により取得された位置情報に基づいて所定範囲を設定する（ステップＳ１２）。
例えば、範囲設定部２０３ａは、通信制御部２０１により取得された位置Ｐ１に係る位置情報に基づいて、当該位置Ｐ１を中心とした所定の半径（例えば、１［ｋｍ］）を有する円領域を所定範囲Ｃ１として設定する（図８（ａ）参照）。
【００６２】
一方、ステップＳ１１にて、所定範囲の設定が既に行われていると判定された場合（ステップＳ１１；ＹＥＳ）、表示装置２は、処理をステップＳ２８に移行する。なお、ステップＳ２８以降の処理は後述する。
【００６３】
ステップＳ１２の処理後、画像取得部２０３は、範囲設定部２０３ａにより設定された所定範囲内の位置と関連付けられた画像を表示用画像として取得する（ステップＳ１３）。
即ち、画像取得部２０３は、例えば、通信制御部２０１及び通信ネットワークＮを介して利用可能に設けられた所定の画像検索エンジンに対して、外部端末１の位置情報及び設定された所定範囲に関する情報（例えば、外部端末１の位置情報を中心とする所定範囲の半径等）を検索条件として出力する。そして、画像取得部２０３は、当該検索エンジンにより出力された検索結果が示す画像を表示用画像として取得する。
例えば、範囲設定部２０３ａにより所定範囲Ｃ１が設定されている場合、画像取得部２０３は、所定範囲Ｃ１の内側に位置する撮像位置Ｑ１〜Ｑ５の画像を表示用画像として取得する（図８（ａ）参照）。
表示用画像として取得された画像は、記憶媒体制御部２０４により、記憶媒体Ｒに記憶される。なお、ステップＳ１４以降の処理の説明は、ステップＳ１３の処理により、複数の表示用画像を取得することができたものとして説明している。
【００６４】
次に、顔画像検出部２０５ａが、画像取得部２０３により表示用画像として取得された画像の各々に対してヒトの顔画像を検出する顔検出処理を行う（ステップＳ１４）。続けて、撮像条件特定部２０５ｂが、画像取得部２０３により表示用画像として取得された画像の各々のＥｘｉｆタグ情報（例えば、ホワイトバランスの設定値等）に基づいて、屋内で撮像された画像（例えば、「電球」や「蛍光灯」を示すホワイトバランスの設定値の画像）を特定する（ステップＳ１５）。
なお、ステップＳ１４の顔検出処理とステップＳ１５の屋内で撮像された画像の特定処理の順序は逆であっても良い。
【００６５】
そして、条件判定部２０５が、ステップＳ１４の処理によりヒトの顔画像が検出された画像及びステップＳ１５の処理により屋内で撮像された画像として特定された画像を、表示用画像から除外する（ステップＳ１６）。
具体的には、条件判定部２０５は、画像取得部２０３により表示用画像として取得された画像が所定条件に該当するか否かを判定し、顔画像検出部２０５ａによりヒトの顔画像が検出された画像や、撮像条件特定部２０５ｂにより屋内で撮像された画像として特定された画像が所定条件に該当する画像であると判定する。続けて、条件判定部２０５は、ヒトの顔画像が検出された画像や屋内で撮像された画像として特定された画像を表示用画像から除外する。そして、条件判定部２０５は、表示用画像から除外された画像を記憶媒体Ｒから削除する。
【００６６】
次に、表示制御部２０９ａが、計時部２０６から出力され入力された時刻情報に基づいて、予め設定されている複数の時間帯（例えば、日中や夜間等）の中で、現在の時刻を含む時間帯を特定する（ステップＳ１７）。続いて、類似画像検出部２０７が、画像取得部２０３により表示用画像として取得された複数の画像の中で、表示態様が互いに類似する画像（類似画像）を検出する（ステップＳ１８）。このとき、類似画像検出部２０７は、例えば、同一の識別情報をＥｘｉｆタグ情報として画像に付加し、類似画像と当該類似画像に類似しない画像とを識別可能とする。そして、表示制御部２０９ａが、これら複数の類似画像のうち何れか一つの画像を選択する（ステップＳ１９）。
【００６７】
表示制御部２０９ａは、ステップＳ８の処理により特定された時間帯と、ステップＳ１０の処理により選択された画像とに基づいて、表示パネル２０９ｂに表示させる切替対象画像を特定する（ステップＳ２０）。
具体的には、表示制御部２０９ａは、例えば、表示制御部２０９ａは、記憶媒体Ｒに記憶された表示用画像の中で、特定された現在の時刻を含む時間帯と関連付けられた画像を切替対象画像として特定する。さらに、表示制御部２０９ａは、時間帯と関連付けられた画像に類似画像が含まれる場合、類似画像のうち何れか一の画像を選択して切替対象画像に含め、選択されなかった画像を切替対象画像としない。このとき、切替対象画像に、さらに記憶媒体Ｒに記憶された所定の画像を加えてもよい。
なお、以降の説明は、複数の表示用画像及び一以上の所定の画像が切替対象画像に含まれるものとして説明している。
【００６８】
次に、表示制御部２０９ａは、記憶媒体Ｒに記憶された表示用画像の各々のＥｘｉｆタグ情報を読み出し、通信制御部２０１により受信された外部端末１の位置情報により近い位置と関連付けられた画像を特定して、特定された画像を優先的に表示パネル２０９ｂに表示させる順位付けを行う。（ステップＳ２１）。
そして、表示制御部２０９ａは、切替対象画像として特定された表示用画像の中から、順位付けに基づいて外部端末１の位置情報により近い順に何れか一つの画像（例えば、撮像位置Ｑ１の画像）を選択する（ステップＳ２２）。
【００６９】
次に、画像処理部２０８は、予め設定された画像処理設定により画像処理の実施が指示されているか否かを判定する（ステップＳ２３）。ここで、画像処理の実施が指示されていると判定された場合（ステップＳ２３；ＹＥＳ）、画像処理部２０８は、ステップＳ２２の処理により選択された一つの画像に所定の画像処理を施す（ステップＳ２４）。具体的には、画像処理部２０８は、例えば、画像処理設定により予め設定された絵画調処理の内容に従って、選択された一つの画像を絵画調の画像に加工する絵画調処理を行う。
その後、表示制御部２０９ａは、ステップＳ２４の処理により画像処理が施された画像を表示パネル２０９ｂに表示させる（ステップＳ２５）。
一方、ステップＳ２３にて、画像処理の実施が指示されていないと判定された場合（ステップＳ２３；ＮＯ）、表示制御部２０９ａは、ステップＳ２４をスキップして、ステップＳ２２の処理により選択された画像を読み出して表示パネル２０９ｂに表示させる（ステップＳ２５）。
【００７０】
次に、中央制御部２１１は、所定の終了指示（例えば、画像表示処理の終了指示等）が入力されたか否か判定する（ステップＳ２６）。ここで、所定の終了指示が入力されたと判定された場合（ステップＳ２６；ＹＥＳ）、画像表示処理は終了する。
一方、ステップＳ２６にて、所定の終了指示が入力されていないと判定された場合（ステップＳ２６；ＮＯ）、表示制御部２０９ａは、一の画像の表示後、所定の表示切替時間が経過するたび、表示パネル２０９ｂに表示させる画像を当該一の画像とは異なる画像（例えば、撮像位置Ｑ２の画像）に切り替える（ステップＳ２７）。
具体的には、表示制御部２０９ａは、表示パネル２０９ｂに表示させていた画像とは異なる一つの画像を新たに選択する。このとき、表示制御部２０９ａは、切替対象画像のうち表示パネル２０９ｂに表示された回数がより少ない画像であって、順位付けに基づいて外部端末１の位置情報により近い順に表示用画像を優先的に選択する。その後、処理をステップＳ２３に移行して、画像処理部２０８による画像処理の実施に関する判定を経て、表示制御部２０９ａが、新たに選択された一つの画像又は画像処理が施された当該一つの画像を表示させる。
【００７１】
一方、ステップＳ１１にて、所定範囲の設定が既に行われていると判定された場合（ステップＳ１１；ＹＥＳ）、即ち、図４に示すように、外部端末１において、位置情報の送信が再度指示されたことにより（ステップＳ２；ＹＥＳ）、外部端末１の通信制御部１０８から新たな位置情報が送信された場合（ステップＳ３）、表示装置２の通信制御部は、送信された新たな位置情報を受信し（ステップＳ４）、画像表示処理を再度行う（ステップＳ５）。そして、図５に示すように、再度行われる画像表示処理では、ステップＳ１１にて、所定範囲の設定が既に行われていると判定（ステップＳ１１；ＹＥＳ）されることから、表示装置２は、処理をステップＳ２８に移行して、範囲判定部２０３ｂが、通信制御部２０１により受信された新たな外部端末１の位置情報が、既に設定されている所定範囲外であるであるか否か判定する（ステップＳ２８）。ここで、新たな外部端末１の位置情報が、既に設定されている所定範囲外であると判定された場合（ステップＳ２８；ＹＥＳ）、範囲設定部２０３ａが、新たな外部端末１の位置情報に基づいた所定範囲を新たに設定する。（ステップＳ２９）。
例えば、範囲設定部２０３ａは、通信制御部２０１により取得された位置Ｐ２に係る新たな位置情報に基づいて、当該位置Ｐ２を中心とした所定の半径（例えば、１［ｋｍ］）を有する円領域を所定範囲Ｃ２として新たに設定する（図８（ｂ）参照）。
【００７２】
そして、処理をステップＳ１３に移行して、画像取得部２０３が、範囲設定部２０３ａにより設定された所定範囲内の位置と関連付けられた画像を表示用画像として取得する。このとき、画像取得部２０３は、範囲設定部２０３ａにより新たに設定された所定範囲（例えば、所定範囲Ｃ２）内の位置と関連付けられた画像のうち、当該所定範囲よりも前に設定された所定範囲（例えば、所定範囲Ｃ１）内の位置と関連付けられた画像以外の画像を表示用画像として取得しても良い。
具体的には、画像取得部２０３は、新たな所定範囲内の位置と関連付けられた画像（例えば、撮像位置Ｑ２、Ｑ６〜Ｑ８の画像）のうち、新たな所定範囲が設定される前に表示用画像として取得され、記憶媒体Ｒに記憶されている画像と同一の画像（例えば、撮像位置Ｑ２の画像）を取得せず、当該同一の画像以外の画像（例えば、撮像位置Ｑ６〜Ｑ８の画像）を表示用画像として取得する（図８（ｂ）参照）。また、画像取得部２０３は、新たな所定範囲内の位置と関連付けられた画像を表示用画像として取得した後、新たな所定範囲の設定前に記憶媒体Ｒに記憶された画像を削除する。
【００７３】
一方、ステップＳ２８にて、新たな外部端末１の位置情報が、既に設定されている所定範囲外でないと判定された場合（ステップＳ２８；ＮＯ）、処理をステップＳ２７に移行して、表示制御部２０９ａが、一の画像の表示後に所定の表示切替時間が経過するたび、表示パネル２０９ｂに表示させる画像を当該一の画像とは異なる画像に切り替える。即ち、新たな外部端末１の位置情報が、範囲判定部２０３ｂにより既に設定されている所定範囲外でないと判定された場合には、範囲設定部２０３ａにより所定範囲の設定が新たに行われず、表示制御部２０９ａは、既に設定されている所定範囲内の位置と関連付けられた画像のうち、切替対象画像として特定された画像の切り替え表示を継続させる。
【００７４】
以上のように、本実施形態の表示システム１０によれば、表示装置２の画像取得部２０３が、外部端末１の存する位置に関連する画像を表示部２０９により表示される表示用画像として取得するので、外部端末１の位置と表示用画像との間に関連性を持たせることができ、表示画像の内容に基づいて外部端末１の使用者の位置を当該表示用画像の視認者に認識させることができるだけでなく、外部端末１の位置の変化に応じて画像表示の内容を変化させることができる。従って、画像表示を外部端末１の位置情報に基づいてより面白みのあるものとすることができる。
【００７５】
また、画像取得部２０３が、範囲設定部２０３ａにより外部端末１の位置情報が示す位置を基準として設定された所定範囲内の位置と関連付けられた画像を表示用画像として取得するので、取得する画像の選択肢をより多くすることができる。即ち、例えば、範囲設定部２０３ａによる所定範囲の設定が行われず、画像取得部２０３が、位置情報のみに基づいて外部端末１の存する位置に関連する画像を取得した場合、著しく少ない数（例えば、一つ）の画像を表示用画像として取得することがあるが、範囲設定部２０３ａにより位置情報に基づく所定範囲が設定され、画像取得部２０３が、所定範囲内の位置と関連付けられた画像を表示用画像として取得することにより、表示用画像として取得される画像の数を増加させることができる。これにより、表示用画像として取得されたより多数の画像により、画像表示の内容をより多彩にして画像表示を変化に富んだものとすることができることとなって、画像表示を外部端末１の位置情報に基づいてより面白みのあるものとすることができる。
【００７６】
また、範囲設定部２０３ａが、範囲判定部２０３ｂにより所定範囲が設定された後に通信制御部２０１により取得された外部端末１の位置情報が所定範囲外であると判定された場合に、新たに所定範囲を設定するので、外部端末１の移動に応じた新たな所定範囲の設定により表示用画像として取得される画像を変化させることができる。これにより、外部端末１の位置の変化に応じて画像表示の内容を変化に富んだより多彩なものとすることができることとなって、画像表示を外部端末１の位置情報に基づいてより面白みのあるものとすることができる。
【００７７】
また、画像取得部２０３は、範囲設定部２０３ａにより新たに設定された所定範囲内の位置と関連付けられた画像のうち、新たに設定された所定範囲よりも前に設定された所定範囲内の位置と関連付けられた画像以外の画像を表示用画像として取得するので、画像取得部２０３は、新たに設定された所定範囲と、新たに設定された所定範囲よりも前に設定された所定範囲とで重複する画像を取得することがなくなる。即ち、所定範囲の再設定により、直前に設定されていた所定範囲内の位置と関連付けられている画像が表示部２０９に表示されることがなくなり、外部端末１の位置の変化に応じて確実に画像表示の内容を変化させることができることとなって、画像表示を外部端末１の位置情報に基づいてより面白みのあるものとすることができる。
【００７８】
また、通信制御部２０１が、外部端末１から位置情報を一度取得した後に所定時間が経過した場合、外部端末１に対して所定の操作がなされた場合及び外部端末１が所定位置から所定距離以上離れた場合のうち、少なくともいずれか一の場合に、外部端末１から位置情報を取得する。
即ち、外部端末１から位置情報を一度取得した後に所定時間が経過した場合に外部端末１の位置情報を取得することで、位置情報を一度取得した後に所定時間が経過した時点での外部端末１の位置と関連付けられた画像を表示用画像として取得することができ、これにより、表示画像の内容を変化させることができることとなって、画像表示を外部端末１の位置情報に基づいてより面白みのあるものとすることができる。
また、外部端末１に対して所定の操作がなされた場合に外部端末１の位置情報を取得することで、外部端末１の使用者により外部端末に対して所定の操作がなされた時点での外部端末１の位置と関連付けられた画像を表示用画像として取得することができ、これにより、表示画像の内容を変化させることができることとなって、画像表示を外部端末１の位置情報に基づいてより面白みのあるものとすることができる。また、表示用画像の視認者に、表示画像の内容に基づいて外部端末１の使用者が外部端末に対して所定の操作を行った時点の位置を認識させることができる。
また、外部端末１が所定位置から所定距離以上離れた場合に外部端末１の位置情報を取得することで、所定位置から所定距離以上離れた外部端末１の使用者の位置と関連付けられた画像を表示用画像として取得することができ、表示用画像の視認者に、表示画像の内容に基づいて外部端末１の使用者が所定位置から所定距離以上離れていることを認識させることができる。即ち、例えば、外部端末１を使用者自身の子供に携帯させ、所定位置を自宅とするとともに、子供の通学する学校までの距離に応じて所定距離を設定した場合に、外部端末１が所定位置から所定距離以上離れたことにより、表示装置２に所定位置から所定距離以上離れた外部端末１の使用者の位置と関連付けられた画像が表示されると、子供が普段の通学路から外れた位置へ移動したことを使用者に認識させることができる。
【００７９】
また、条件判定部２０５が、所定条件に該当すると判定された画像を表示用画像から除外するので、表示用画像を所定条件に基づいて取捨選択することができる。即ち、例えば、所定条件を外部端末１の位置の判別に寄与しないものを除外する条件と設定した場合には、当該条件に該当する画像を除外することにより、表示用画像の視認者は、表示画像の内容に基づいて外部端末１の位置をより高い精度で認識可能となる。
【００８０】
また、条件判定部２０５が、顔画像検出部２０５ａによりヒトの顔画像が検出された画像が所定条件に該当する画像であると判定するので、ヒトの顔画像が検出された画像を表示用画像から除外することができる。即ち、外部端末１の位置の判別に寄与しないヒトの顔画像が表示されることを防止することができ、表示用画像の視認者は、表示画像の内容に基づいて外部端末１の位置をより高い精度で認識可能となる。
また、例えば、見知らぬヒトの顔画像が表示された場合に、当該画像の視認者によっては、不用意な驚きや不快感を与えてしまうといった事態を抑制することもできる。
【００８１】
また、条件判定部２０５が、撮像条件特定部２０５ｂにより屋内で撮像されたと特定された画像が所定条件に該当する画像であると判定するので、屋内で撮像された画像を表示用画像から除外することができる。即ち、外部端末の位置の判別に寄与しない屋内の画像が表示されることを防止することができ、表示用画像の視認者は、表示画像の内容に基づいて外部端末１の位置をより高い精度で認識可能となる。
また、例えば、見知らぬ屋内の画像が表示された場合に、当該画像の視認者によっては、不用意な驚きや不快感を与えてしまうといった事態を抑制することができる。
【００８２】
また、画像取得部２０３が、複数の画像を記憶する外部記憶装置３から通信ネットワークＮを介して画像を取得するので、取得する画像の選択肢をより多くすることができる。これにより、画像表示の内容を変化に富んだより多彩なものとすることができることとなって、画像表示をより面白みのあるものとすることができる。
【００８３】
また、表示部２０９が、画像処理部２０８により画像処理が施された表示用画像を表示するので、画像処理により表示画像の内容に変化を加えることができる。これにより画像表示の内容を変化に富んだより多彩なものとすることができることとなって、画像表示をより面白みのあるものとすることができる。
【００８４】
また、表示部２０９が、計時部２０６により計時された時刻を含む所定の時間帯と関連付けられている画像を表示するので、表示画像の内容を時間帯の変化に応じて変えることができ、これにより、現在の時刻が含まれる時間帯に応じた表示画像を表示させることができる。即ち、例えば、夜間に撮像された画像が日中に表示されてしまうといったことを防止することができ、画像表示の内容と当該画像の表す時間帯とのズレに基づいて画像表示に違和感を生じさせることがなくなる。
また、表示画像の内容を時間帯の変化に応じて変えることで、画像表示の内容を変化に富んだより多彩なものとすることができ、画像表示をより面白みのあるものとすることができる。
【００８５】
また、表示部２０９は、類似画像検出部２０７により表示態様が互いに類似すると判定された複数の画像のうち何れか一つの画像を表示するので、表示態様が互いに類似する画像が連続して表示されることを防止することができる。即ち、例えば、外部端末１の使用者の位置と関連する画像のうち、被写体（例えば、建造物や風景等）を異ならせたような表示態様が類似しない画像をより多く表示することにより、外部端末１の使用者の位置に関連するより多くの情報を提供することができることとなって、表示用画像の視認者は、表示画像の内容に基づいて外部端末１の位置をより高い精度で認識可能となる。
また、表示態様が類似する複数の画像が連続して表示されることを防止することで、表示用画像の視認者が、表示画像の内容に飽きてしまうことを抑制することもできる。
【００８６】
また、表示制御部２０９ａが、表示用画像として取得された複数の画像を切り替えて表示パネル２０９ｂに表示させるので、画像表示の内容を変化に富んだより多彩なものとすることができ、画像表示をより面白みのあるものとすることができる。
また、複数の画像に基づいて外部端末１の使用者の位置を当該表示用画像の視認者に認識させることができる。即ち、外部端末１の使用者の位置と関連する画像をより多く表示することにより、外部端末１の使用者の位置に関連するより多くの情報を提供することができることとなって、表示用画像の視認者は、表示画像の内容に基づいて外部端末１の位置をより高い精度で認識可能となる。
【００８７】
なお、本発明は、上記の実施形態に限定されることなく、本発明の趣旨を逸脱しない範囲において、種々の改良並びに設計の変更を行っても良い。
例えば、上記の実施形態における条件判定部２０５が表示用画像から除外する画像の所定条件は、一例であり、これに限られるものではない。例えば、計時部２０６により計時された時刻を含む時間帯と関連付けられていない画像や、類似画像検出部２０７により表示態様が互いに類似する画像として検出された複数の画像のうち何れか一つの画像を除く画像等が、所定条件に該当する画像であると判定し、表示用画像から除外してもよい。
つまり、上記実施形態では、表示制御部２０９ａが、表示用画像の表示処理の際に、表示用画像として取得された画像のうち、計時部２０６により計時された時刻を含む時間帯と関連付けられている画像や、類似画像検出部２０７により表示態様が互いに類似する画像として検出された複数の画像のうち何れか一つの画像を選択するようにしたが、表示用画像の表示処理以前の段階で、条件判定部２０５が、計時部２０６により計時された時刻を含む時間帯と関連付けられていない画像や、類似画像検出部２０７により表示態様が互いに類似する画像として検出された複数の画像のうち何れか一つの画像を除く画像を表示用画像から除外するようにしてもよい。
【００８８】
また、表示制御部２０９ａは、切替対象画像の特定にあたり、類似画像検出部２０７により表示態様が互いに類似する画像として検出された複数の画像のうち何れか一つの画像を除く画像を除外しているが、表示制御の一例であり、これに限られるものではない。例えば、画像の切替表示にあたり、切替後の画像について切替前の画像と表示態様が類似するか否かの判定を行い、類似すると判定された場合に切替後の画像を表示態様が類似しない別の画像に変更するようにしてもよい。
【００８９】
また、画像処理部２０８により画像処理が施される画像の条件を設定するようにしてもよい。例えば、ヒトの顔画像が検出された画像を表示用画像から除外することに代えて、ヒトの顔画像が検出された画像に画像処理を施すようにしてもよい。例えば、画像処理として、ヒトの顔による個人の特定を困難とする画像処理を行うことにより、見知らぬヒトの顔画像が表示用画像に含まれる場合であってもヒトの識別を困難にすることができるので、見知らぬヒトの顔画像が表示された場合に、当該画像の視認者によっては、不用意な驚きや不快感を与えてしまうといった事態を抑制することができる。
【００９０】
また、上記の実施形態では、表示制御部２０９ａは、表示用画像と、記憶媒体Ｒに記憶されている所定の画像のうちの何れか一つの画像を切り替えて表示させるが、表示方法の一例であり、これに限られるものではない。例えば、表示制御部２０９ａは、所定の画像を表示させず、表示用画像を表示させるようにしてもよい。また、表示制御部２０９ａは、表示用画像又は所定の画像に含まれる複数の画像を同時に表示させてもよいし、同時に表示された複数の画像の一部又は全部を順次切り替えて表示させてもよい。
【００９１】
また、上記の実施形態では、所定範囲の設定後に取得された新たな外部端末１の位置情報が所定範囲外である場合に、範囲設定部２０３ａが新たな外部端末１の位置情報に基づいて新たな所定範囲を設定しているが、所定範囲の再設定方法の一例であり、これに限られるものではない。例えば、外部端末１の位置情報が取得されるたびに所定範囲を再設定するようにしてもよい。
【００９２】
また、上記の実施形態における所定範囲の設定方法は一例であり、これに限られるものではない。例えば、所定範囲内に含まれる画像が所定数を下回る場合に、範囲設定部２０３ａが、より広い所定範囲を再設定するようにしてもよい。これにより、所定範囲内に含まれる画像が所定数以上となり、画像取得部２０３により所定数以上の表示用画像を取得することができる。即ち、表示部２０９が確実に表示用画像を表示することができ、外部端末１の位置に応じた画像表示を行うことができる。
また、所定範囲内に含まれる画像が所定数を上回る場合に、範囲設定部２０３ａが、より狭い所定範囲を再設定するようにしてもよい。これにより、画像を所定数以下にすることができ、表示用画像として取得することができる画像が多すぎるために画像を取得する処理の負荷等が大きくなることを防止することができる。
【００９３】
また、画像と位置との関連付けや、画像と撮像条件（例えば、ホワイトバランスの設定値）との関連付け、表示態様が互いに類似する画像どうしの識別において、Ｅｘｉｆタグ情報を用いる方法は、画像と情報との関連付け方法の一例であり、これに限られるものではない。例えば、外部記憶装置３に記憶される複数の画像の各々に関する位置（例えば、各々の画像の撮像位置等）や、屋内で撮像されたことを示す情報（例えば、ホワイトバランスの設定値等）を示すデータが別途設けられ、外部記憶装置３に記憶されていてもよい。また、類似画像検出部２０７は、表示態様が互いに類似する画像どうしの識別を行うためのデータを生成し、記憶媒体Ｒに記憶させてもよい。
【００９４】
また、上記の実施形態では、外部端末１の通信制御部１０８が外部端末１の位置情報を送信し、表示装置２の通信制御部２０１が送信された外部端末１の位置情報を受信しているが、外部端末１の位置情報の取得に関する処理の流れの一例であり、これに限られるものではない。例えば、表示装置２から外部端末１に対して外部端末１の位置情報の取得要求を行い、外部端末１が当該取得要求に応答して外部端末１の位置情報を表示装置２へ送信するようにしてもよい。また、外部端末１が、外部端末１と表示装置２との間に介在する記録装置（図示略）に外部端末１の位置情報を記録しておき、表示装置２が、当該記録装置から外部端末１の位置情報を取得するようにしてもよい。
【００９５】
また、図１では、一つの外部端末１と一つの表示装置２を用いて説明を行っているが、外部端末１、表示装置２はそれぞれ複数であってもよい。例えば、複数の外部端末１の位置情報に基づいて一つの表示装置２が画像を取得して表示するようにしてもよいし、一つの外部端末１の位置情報に基づく画像の表示装置を複数の表示装置２に行わせてもよい。
【００９６】
加えて、上記実施形態にあっては、中央制御部２１１のＣＰＵの制御下にて、通信制御部２０１、画像取得部２０３、表示部２０９が駆動することにより実現される構成としたが、これに限られるものではなく、ＣＰＵによって所定のプログラム等が実行されることにより実現される構成としても良い。
即ち、プログラムを記憶するプログラムメモリ（図示略）に、第１取得ルーチン、第２取得ルーチン、表示ルーチンを含むプログラムを記憶しておく。そして、第１取得ルーチンによりＣＰＵを、外部端末の存する位置に係る位置情報を所定の通信回線を介して取得するようにしても良い。また、第２取得ルーチンによりＣＰＵを、取得された位置情報に基づいて、当該外部端末の存する位置から所定範囲内で撮像された画像を表示用画像として取得するようにしても良い。また、表示ルーチンによりＣＰＵを、表示用画像として取得された画像を表示させるようにしても良い。
【００９７】
同様に、他の処理についても、ＣＰＵによって所定のプログラム等が実行されることにより実現される構成としても良い。
【００９８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００９９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外部端末の存する位置に係る位置情報を所定の通信回線を介して取得する第１取得手段と、
この第１取得手段により取得された前記位置情報が示す位置を基準として所定範囲を設定する設定手段と、
この設定手段により設定された所定範囲内の位置で撮像された画像を表示用画像として取得する第２取得手段と、
この第２取得手段により前記表示用画像として取得された画像を表示する表示手段と、
を備えることを特徴とする表示装置。
＜請求項２＞
前記第２取得手段は、前記設定手段により前記所定範囲が設定された後に前記第１取得手段により取得された前記位置情報が、前記所定範囲外であるか否か判定する第１判定手段を更に有し、
前記設定手段は、前記第１判定手段により前記所定範囲外であると判定された場合に、当該所定範囲外の前記位置情報に基づいて所定範囲を新たに設定することを特徴とする請求項１に記載の表示装置。
＜請求項３＞
前記第２取得手段は、前記設定手段により新たに設定された所定範囲内の位置で撮像された画像のうち、当該所定範囲よりも前に設定された所定範囲内の位置で撮像された画像以外の画像を前記表示用画像として取得することを特徴とする請求項２に記載の表示装置。
＜請求項４＞
前記第１取得手段は、前記位置情報を一度取得した後に所定時間が経過した場合、前記外部端末に対して所定の操作がなされた場合及び前記外部端末が所定位置から所定距離以上離れた場合のうち、少なくともいずれか一の場合に、当該外部端末から前記位置情報を取得することを特徴とする請求項１〜３の何れか一項に記載の表示装置。
＜請求項５＞
前記第２取得手段により取得された画像が所定条件に該当するか否かを判定する第２判定手段と、
前記第２判定手段により、所定条件に該当すると判定された画像を前記表示用画像から除外する除外手段と、
を更に備えることを特徴とする請求項１〜４の何れか一項に記載の表示装置。
＜請求項６＞
ヒトの顔画像を検出する第１検出手段を更に備え、
前記第２判定手段は、前記第１検出手段によりヒトの顔画像が検出された画像が所定条件に該当する画像であると判定することを特徴とする請求項５に記載の表示装置。
＜請求項７＞
画像と関連付けられた撮像条件情報に基づいて、屋内で撮像された画像を特定する特定手段を更に備え、
前記第２判定手段は、前記特定手段により屋内で撮像された画像であると特定された画像が所定条件に該当する画像であると判定することを特徴とする請求項５又は６に記載の表示装置。
＜請求項８＞
前記第２取得手段は、外部記憶装置に記憶されている複数の画像の中から前記表示用画像を所定の通信回線を介して取得することを特徴とする請求項１〜７の何れか一項に記載の表示装置。
＜請求項９＞
前記第２取得手段により前記表示用画像として取得された画像に所定の画像処理を施す画像処理手段を更に備え、
前記表示手段は、前記画像処理手段により前記所定の画像処理が施された画像を表示することを特徴とする請求項１〜８の何れか一項に記載の表示装置。
＜請求項１０＞
時刻を計時する計時手段を更に備え、
前記表示手段は、前記第２取得手段により前記表示用画像として取得された画像のうち、各画像と関連付けられた時刻情報が、前記計時手段により計時された時刻を含む所定の時間帯と関連付けられている画像を表示することを特徴とする請求項１〜９の何れか一項に記載の表示装置。
＜請求項１１＞
前記第２取得手段により前記表示用画像として取得された複数の画像の中で、表示態様が互いに類似する画像を検出する第２検出手段を更に備え、
前記表示手段は、前記第２検出手段により検出された表示態様が互いに類似する画像のうち、何れか一つの画像を表示することを特徴とする請求項１〜１０の何れか一項に記載の表示装置。
＜請求項１２＞
前記第２取得手段により前記表示用画像として取得された複数の画像を切り替えて前記表示手段に表示させる表示制御手段を更に備えることを特徴とする請求項１〜１１の何れか一項に記載の表示装置。
＜請求項１３＞
所定の画像を記憶する記憶手段を更に備え、
前記表示制御手段は、前記第２取得手段により前記表示用画像として取得された画像及び前記記憶手段に記憶されている画像の中で、画像を切り替えて前記表示手段に表示させることを特徴とする請求項１２に記載の表示装置。
＜請求項１４＞
外部端末と表示装置とを備える表示システムであって、
前記外部端末は、
当該外部端末の存する位置に係る位置情報を所定の通信回線を介して送信する送信手段を備え、
前記表示装置は、
前記送信手段により送信された前記位置情報を受信する受信手段と、
この受信手段により受信された前記位置情報に基づいて、当該外部端末の存する位置から所定範囲内で撮像された画像を表示用画像として取得する取得手段と、
この取得手段により前記表示用画像として取得された画像を表示する表示手段と、を備えることを特徴とする表示システム。
＜請求項１５＞
表示装置を用いて、
外部端末の存する位置に係る位置情報を所定の通信回線を介して取得する処理と、
取得された前記位置情報に基づいて、当該外部端末の存する位置から所定範囲内で撮像された画像を表示用画像として取得する処理と、
前記表示用画像として取得された画像を表示する処理と、
を実行することを特徴とする表示方法。
＜請求項１６＞
表示装置のコンピュータを、
外部端末の存する位置に係る位置情報を所定の通信回線を介して取得する手段、
取得された前記位置情報に基づいて、当該外部端末の存する位置から所定範囲内で撮像された画像を表示用画像として取得する手段、
前記表示用画像として取得された画像を表示させる手段、
として機能させることを特徴とするプログラム。
【符号の説明】
【０１００】
１０      表示システム
１        外部端末
１０６    位置特定部
１０７    位置判定部
１０８    通信制御部
２        表示装置
２０１    通信制御部
２０３    画像取得部
２０３ａ  範囲設定部
２０３ｂ  範囲判定部
２０５    条件判定部
２０５ａ  顔画像検出部
２０５ｂ  撮像条件特定部
２０６    計時部
２０７    類似画像検出部
２０８    画像処理部
２０９    表示部
２０９ａ  表示制御部
３        外部記憶装置
【図１】
0005779935.tif 000002
【図２】
0005779935.tif 000003
【図３】
0005779935.tif 000004
【図４】
0005779935.tif 000005
【図５】
0005779935.tif 000006
【図６】
0005779935.tif 000007
【図７】
0005779935.tif 000008
【図８】
0005779935.tif 000009